(57)【要約】【課題】上下方向の長さの異なる表示シートに対して対応可能であるとともに、構造が簡易で低コストとなる格納・携帯型の表示装置を提供することを課題としている。【解決手段】板状の取付ベース４に一対の支柱６を立設し、該支柱６の上端に支持杆７を架設してゲート状の枠体２を形成し、該枠体２内に張設する表示シート１を設け、上記枠体２の一部又は全部を折畳んで上記取付ベース４上に格納する携帯移動可能な表示装置において、上記各支柱６は、折畳み回動可能に軸支される下部支柱６ａと、各下部支柱６ａに沿って昇降伸縮可能な上部支柱６ｂとを備え、支持杆７を所定高さで位置決めする位置決め手段を上下に隣接する支柱間に設け、取付ベース４と支持杆７との間に表示シート１を伸展状態で取付けて保持させ、表示シート１を格納する際は前記下部支柱６ａを折畳むとともに、上部支柱６ｂと支持杆７を取付ベース４上に格納する構造とした。【選択図】図１
2014214438.tif 000002
【特許請求の範囲】
【請求項１】
板状の取付ベース（４）の左右両端側に左右一対の支柱（６）を立設し、該支柱（６）の上端に左右方向の支持杆（７）を架設してゲート状の枠体（２）を形成し、該枠体（２）内に張設する表示シート（１）を設け、上記枠体（２）の一部又は全部を折畳んで上記取付ベース（４）上に格納する携帯移動可能な表示装置において、上記各支柱（６）は、取付ベース（４）上で内側に向って折畳み回動可能に軸支されて立設される下部支柱（６ａ）と、各下部支柱（６ａ）に沿って昇降伸縮可能な上部支柱（６ｂ）との上下方向に接合される少なくとも２本の支柱を備え、上部支柱（６ｂ）の上端側に上記支持杆（７）を架設し、該支持杆（７）を所定高さで位置決めする位置決め手段を上下に隣接する支柱間に設け、取付ベース（４）と位置決めされた支持杆（７）との間に表示シート（１）を伸展状態で取付けて保持させ、表示シート（１）を格納する際は前記下部支柱（６ａ）を内側に倒伏させて折畳むとともに、上部支柱（６ｂ）と支持杆（７）を折畳み又は支持杆（７）を取り外して取付ベース（４）上に格納する構造とした格納・携帯型の表示装置。
【請求項２】
下部支柱（６ａ）に対して上部支柱（６ｂ）を昇降スライド可能に差込み、上部支柱（６ｂ）の上昇による下部支柱（６ａ）からの抜け出しを上限位置において規制するストッパー（１４）を両支柱間に設けた請求項１の格納・携帯型の表示装置。
【請求項３】
上端が上部支柱（６ｂ）に差込まれ、下端が下部支柱（６ａ）に差込まれる中間支柱（６ｃ）を設け、中間支柱（６ｃ）が下部支柱（６ａ）に対して昇降スライドする請求項１の格納・携帯型の表示装置。
【請求項４】
中間支柱（６ｃ）の上昇による下部支柱（６ａ）からの抜け出しを上限位置において規制するストッパー（１４）を中間支柱（６ｃ）と下部支柱（６ａ）間に設けた請求項３の格納・携帯型の表示装置。
【請求項５】
上端が上部支柱（６ｂ）に差込まれ、下端が下部支柱（６ａ）に差込まれる中間支柱（６ｃ）を設け、上部支柱（６ｂ）が中間支柱（６ｃ）に対して昇降スライドする請求項１又は３又は４の格納・携帯型の表示装置。
【請求項６】
上部支柱（６ｂ）の上昇による中間支柱（６ｃ）からの抜け出しを上限位置において規制するストッパー（１４）を上部支柱（６ｂ）と中間支柱（６ｃ）の間に設けてなる請求項５の格納・携帯型の表示装置。
【請求項７】
表示シート（１）が上下方向に弾力的に伸展して支持されるように、表示シート（１）と取付ベース（４）又は支持杆（７）との間に上下方向に作用する付勢手段（１８）を設けてなる請求項１〜６のいずれかに記載の格納・携帯型の表示装置。
【請求項８】
取付ベース（４）を開閉可能な蓋（２３）を有する箱状のケース（３）の底板とし、支柱（６）と支持杆（７）とをケース（３）内に収納する請求項１〜７の格納・携帯型の表示装置。
【請求項９】
表示シート（１）の上端に支持杆（７）を着脱又は挿脱可能に取付け、支持杆（７）に対し左右の上部支柱（６ｂ）を内側に折畳み、折畳まれた上部支柱（６ｂ）と支持杆（７）に沿って折畳み又はロール状に巻き取られた表示シート（１）を取付ベース（４）上に格納又は収納する請求項１〜８のいずれかに記載の格納・携帯型の表示装置。
【請求項１０】
蓋（２３）をケース（３）の後壁側に回動開閉可能に設け、直立させた下部支柱（６ａ）と蓋（２３）の回動端側を連結固定し、下部支柱（６ａ）を補強的に支持させる請求項１〜９のいずれかに記載の格納・携帯型の表示装置。
【発明の詳細な説明】
【技術分野】
【０００１】
この発明は、道路工事等の各種工事現場,事故現場やイベント会場等における簡易型の案内表示として使用される格納・携帯型の表示装置に関する。
【背景技術】
【０００２】
従来上記のような格納・携帯型の表示装置としては、例えば特許文献１に示すように、折畳み式のゲート状フレームを開閉蓋付きの箱型ケース内に取付け、表示現場に携帯してフレームを立ち上げてフレーム内に表示シートを張設する装置が知られている。
【先行技術文献】
【特許文献】
【０００３】
【特許文献１】特許第３５９５２８９号公報
【発明の概要】
【発明が解決しようとする課題】
【０００４】
上記従来技術の発明は、それ以前の枠付でスタンド付の表示プレートを表示現場に運んで展示するものに比して搬送や保管が容易で、表示シートの互換性等の点で優れているものの、枠体を構成する左右の支柱及び支柱と上端の支持杆（水平材）がリンク結合によって折畳まれる構造である。
【０００５】
このため構成が複雑化し部品数も多くコスト高になり、上下サイズの調節幅に限度があるため長さの異なる表示シートへの対応幅も限られているほか、板状リンクを用いるので枠の剛性を確保するために一定以上の板厚が必要で重量が増す等の欠点がある。
【課題を解決するための手段】
【０００６】
上記問題点を解決するための本発明は第１に、板状の取付ベース４の左右両端側に左右一対の支柱６を立設し、該支柱６の上端に左右方向の支持杆７を架設してゲート状の枠体２を形成し、該枠体２内に張設する表示シート１を設け、上記枠体２の一部又は全部を折畳んで上記取付ベース４上に格納する携帯移動可能な表示装置において、上記各支柱６は、取付ベース４上で内側に向って折畳み回動可能に軸支されて立設される下部支柱６ａと、各下部支柱６ａに沿って昇降伸縮可能な上部支柱６ｂとの上下方向に接合される少なくとも２本の支柱を備え、上部支柱６ｂの上端側に上記支持杆７を架設し、該支持杆７を所定高さで位置決めする位置決め手段を上下に隣接する支柱間に設け、取付ベース４と位置決めされた支持杆７との間に表示シート１を伸展状態で取付けて保持させ、表示シート１を格納する際は前記下部支柱６ａを内側に倒伏させて折畳むとともに、上部支柱６ｂと支持杆７を折畳み又は支持杆７を取り外して取付ベース４上に格納する構造としたことを特徴としている。
【０００７】
第２に、下部支柱６ａに対して上部支柱６ｂを昇降スライド可能に差込み、上部支柱６ｂの上昇による下部支柱６ａからの抜け出しを上限位置において規制するストッパー１４を両支柱間に設けたことを特徴としている。
【０００８】
第３に、上端が上部支柱６ｂに差込まれ、下端が下部支柱６ａに差込まれる中間支柱６ｃを設け、中間支柱６ｃが下部支柱６ａに対して昇降スライドすることを特徴としている。
【０００９】
第４に、中間支柱６ｃの上昇による下部支柱６ａからの抜け出しを上限位置において規制するストッパー１４を中間支柱６ｃと下部支柱６ａ間に設けたことを特徴としている。
【００１０】
第５に、上端が上部支柱６ｂに差込まれ、下端が下部支柱６ａに差込まれる中間支柱６ｃを設け、上部支柱６ｂが中間支柱６ｃに対して昇降スライドすることを特徴としている。
【００１１】
第６に、上部支柱６ｂの上昇による中間支柱６ｃからの抜け出しを上限位置において規制するストッパー１４を上部支柱６ｂと中間支柱６ｃの間に設けてなることを特徴としている。
【００１２】
第７に、表示シート１が上下方向に弾力的に伸展して支持されるように、表示シート１と取付ベース４又は支持杆７との間に上下方向に作用する付勢手段１８を設けてなることを特徴としている。
【００１３】
第８に、取付ベース４を開閉可能な蓋２３を有する箱状のケース３の底板とし、支柱６と支持杆７とをケース３内に収納することを特徴としている。
【００１４】
第９に、表示シート１の上端に支持杆７を着脱又は挿脱可能に取付け、支持杆７に対し左右の上部支柱６ｂを内側に折畳み、折畳まれた上部支柱６ｂと支持杆７に沿って折畳み又はロール状に巻き取られた表示シート１を取付ベース４上に格納又は収納することを特徴としている。
【００１５】
第１０に、蓋２３をケース３の後壁側に回動開閉可能に設け、直立させた下部支柱６ａと蓋２３の回動端側を連結固定し、下部支柱６ａを補強的に支持させることを特徴としている。
【発明の効果】
【００１６】
以上のように構成される本発明によれば、左右の支柱が昇降伸縮し、支持杆を所定高さで固定できるので、上下方向の長さが異なる表示シートに対して広い範囲で対応できるほか、構造が簡単なので低コストになり、枠体の組立てや格納も容易になる。
【００１７】
上下に隣接して差込まれる支柱間に抜け出し防止用のストッパーを設けることにより、隣接する支柱同士が抜け出すことによる再組立の必要がなくなり、抜け出した支柱の紛失等のトラブルや次の使用時の支柱同士の混同等のトラブルも防止できる。
【００１８】
高さを位置決めされた支持杆と取付ベースとの間で、表示シートが付勢手段により弾力的に伸展されるので、表示内容が明確に表示されるとともに表示シートへの風や物による衝撃が緩和されるほか、常時上下方向に弾力的に牽引されているので、端部を係止した場合のシートの外れが防止できる。
【００１９】
取付ベースを箱型のケースの底板にすることにより、支柱や表示シートの収納ができ、不使用状態での保管や持ち運びが容易で表示シートの劣化が防止できるほか、箱自体を枠体のスタンドの台座として利用でき、蓋をスタンド状態の補強部としても利用できる利点がある。
【図面の簡単な説明】
【００２０】
【図１】本発明装置の全体構造の正面斜視図である。
【図２】表示シートの伸展状態図である。
【図３】表示シート張設時のケースの内部状態の側面斜視図である。
【図４】上下に隣接する支柱の位置決め固定部を示す拡大断面図である。
【図５】上下に隣接する支柱同士の抜け止め用ストッパー構造を示す正面断面図である。
【図６】ケース（取付ベース）底面のサポートバーの取付構造底面図である。
【図７】上部支柱の折畳み構造とこれを軸にして巻取る前の表示シートの一部省略全体図である。
【図８】各支柱とロール状に巻取った表示シートの収納状態を示す平面斜視図である。
【図９】ケースでの格納状態の外観を示す正面図である。
【図１０】本発明の他の実施例を示す全体の正面構造を示す図である。
【発明を実施するための形態】
【００２１】
図１〜図９は本発明の第１の実施形態を示し、図１は本発明の装置の使用状態の正面全体図を示している。この例では布製，メッシュ製，樹脂製フィルム，樹脂強化布等からなる長方形の表示シート１を内部に張設するゲート状の枠体２の基端部が、アルミ材等からなる箱状のケース３内の底板（取付ベース）４上に折畳み収納（格納）可能に立設されている。
【００２２】
枠体２は左右の支柱６と、該支柱６，６の上端間に左右方向に折畳み回動及び着脱自在に枢支される支持杆７によってゲート部を構成している。さらに各支柱６はケース３の底板を構成する取付ベース４に所定高さのブラケット８を介して内側に向って倒伏させて折畳み可能なアルミパイプからなる下部支柱６ａを備えている。９は各ブラケット８に下部支柱６ａを枢支するピン等の支点軸であり、左右の下部支柱６ａを内側に折畳んだ際に、互に干渉し合わないように左右の支点軸８を段違いにし、異なる高さにしてある。この例では、この段違い分だけ左右の下部支柱６ａの長さが異なる。
【００２３】
これに対し、ゲート部を構成するパイプ材よりなる上部支柱６ｂは、下部支柱６ａに沿って昇降移動し、枠体２が上下方向に伸縮可能に組付けられており、この例では下部支柱６ａと上部支柱６ｂの開口端に細径のパイプ材よりなる中間支柱６ｃの上下端が挿脱自在に差込まれ、中間支柱６ｃは下端側外周に鍔状の規制部１１が設けられ、下部支柱６ａに対し定位置で停止する機構になっている。
【００２４】
そしてこの停止状態を固定する蝶ねじ１２等からなる位置決め手段が、図４に示すように下部支柱６ａの上端側の管壁に圧入固着したスリーブナット１３を介して設けられている。中間支柱６ｃは図４，図５で示すようにその周壁の一部Ｕ字状に内部に入り込んで外周に溝を形成したものが使用され、蝶ねじ１２の先端はこの内部に挿入され、締付時に溝底部に押接される。
【００２５】
一方上部支柱６ｂは中間支柱６ｃに対してスライド可能に挿入され、支持杆７が最適位置で停止して位置決め固定できるように上部支柱６ｂの管壁にも図４に示すような位置決め手段が設けられている。この実施例では中間支柱６ｃは上部支柱６ｂに対して昇降スライドして枠体２の伸縮作動をするとともに、その上端と上部支柱６ｂの下端付近には、中間支柱６ｃが上部支柱６ｂより抜け出さないようにストッパー１４が設けられている。
【００２６】
ストッパー１４は図５に示されるように例えば上部支柱６ｂの内部に突出するストッパーピン１４ａと、中間支柱６ｃの上端部に固着されるストッパープレート１４ｂとから構成され、上部支柱６ｂから中間支柱６ｃが抜け出ようとすると両者が当接し合ってパイプ同士の抜け出しが防止される機構であり、このストッパー機能が果たされる限り図示するものに限定はされない。この機構では、枠体不使用時には中間支柱６ｃは上部支柱６ｂ内に挿入収容される。
【００２７】
また逆にこのストッパー１４を上部支柱６ｂではなく、下部支柱６ａに対して設ける場合は、下部支柱６ａ内に図５とは上下逆向きの機構を中間支柱６ｃとの間に設ければ足りる。この場合は、中間支柱６ｃには規制部１１は不要であり、不使用時には中間支柱６ｃは下部支柱６ａ内に挿入して収容される。
【００２８】
表示シートは図２に示されるように上下端に左右方向の筒状部１ａが形成され、この上端側には支持杆７が挿入され、下端側には下部支持杆１６が挿通される。図１の仮想線のように支持杆７が支柱６の上端に取付けられた状態で表示シート１が吊り下げられると下端部は自由端となる。
【００２９】
このため下部支柱６ａの下端部又はブラケット８の外周には図１，図３で示すように係止突起１７が設けられ、この係止突起１７にはコイルスプリング１８が表示シート１の下端を弾力的に引張り付勢する付勢手段として設けられている。即ち下部支持杆１６の左右突起端には、係止用の孔又は突起，フック等からなる係止部１９が設けられ、この係止部１９に上コイルスプリング１８の一方の端部を係止させることにより、表示シート１は上下方向に弾力的に伸展して枠体１内に張設される。この付勢手段はスプリングに限らず伸展可能な紐類等でもよい。
【００３０】
表示シート１が伸展状態を保って張設されるためには、シート長に対して支持杆７が適正高さで位置決めされる必要があるが、前記コイルスプリング１８を予め下部支持杆１６に係止しておき、支持杆７を表示シート１が十分に伸展する高さまでスライドさせた後に先に述べた上部支柱６ｂ側の位置決め手段（蝶ねじ１２）をセットすればよい。
【００３１】
さらに、表示シート１の上下方向中途部に、前記支柱６側に巻き付け固定可能な帯状の面ファスナー１０を設けても良い。該構成によれば、上下方向に長い表示シート１が風によって大きく変形する（膨らむ）ことを効率的に防止できる。ちなみに、面ファスナー１０の代わりに表示シート１の中途部に配置されて支柱６側に固定可能な紐類等を用いてもよい。
【００３２】
ケース３は、図１，図３に示すように底板（取付ベース）４に対し、前後左右の周壁２１，２２を備え、後壁２１の上端には箱皿状の蓋２３がヒンジ２４を介して開閉自在に取付けられている。２０は蓋２３の閉塞固定用クリップ，２５は蓋２３に取付けられた把手である。蓋２３の天板内にはプレート状の連結ステー２６が突設され、その先端には切欠による長溝２７が形成されている。
【００３３】
そして下部支柱６ａの側面には、図３に示すように下部支柱６ａを直立させた状態で、蓋２３を下部支柱６ａに立て掛けた時、上記連結ステー２６の長溝２７に蝶ねじ２８等の締付手段を通して連結ステー２６を下部支柱６ａに締付固定し、蓋２３を支柱２６の直立状態でのサポート（補強）を行わせる機構になっている。
【００３４】
また、ケース３の底面側には図６に示すように、収納状態で箱底面に沿って左右方向に納められ、使用状態でケース３の前後方向に直角に計４本突出させられるサポートバー２９が支点軸３１に水平回動自在に取付けられている。
【００３５】
サポートバー２９が前後方向に直角に突出して停止するように、取付ベース（ケース３の底板）４の底面にはストッパー３２が取付けられている。このサポートバー２９を前後に突出させることにより、取付ベース４を介した支柱６の直立状態が前後方向に作用する外力に対してさらに補強され、不用時に図４に示されるようにケース底面内に回動収納される。
【００３６】
図１の状態に組立て固定された装置を表示状態から格納（収納）状態にするには、先ずスプリング１８を下部支持杆１６より外し、支柱６の位置決めを解除して中間支柱６ｃを下部支柱６ａより抜き取って上部支柱６ｂ内に挿入して収容し、左右の上部支柱６ｂを図７のように折畳んだ後、この上部支柱６ｂを軸にして表示シート１をロール状に巻取る。又はこれを折畳んでも良い。
【００３７】
他方ケース３側では蝶ねじ２７を緩めて蓋２３と下部支柱６ａを開放するとともに右と左の下部支柱６ａを順次内側に倒してケース内に折畳み収納し、サポートバー２９を回動収納した後、上記ロール状の表示シート１をケース３内の残された空間内に収納し、蓋２３を閉状態にセットする。
【００３８】
なお、実施例の装置は軽量化のため略全体をアルミ製にしたが、ＦＲＰ等の強化繊維材にすることも可能である。
その他、本例では収納用に箱状のケース３を用いているが、収納物の固定が行われる限り必ずしも箱状のケースである必要はない。
【００３９】
次に上記実施形態のものをさらに簡略化した小サイズの表示シート用の例を図１０に基いて説明する。この例は、下部支柱６ａに対して上部支柱６ｄを直接差込んで昇降スライド（上下伸縮）可能に内蔵したものであり、この場合、上部支柱６ｄは下部支柱６ａ内に収納され、両支柱６ａ，６ｄ間には図５で示したストッパー１４が上下逆向きに形成され、収納時には支持杆７と左右の上部支柱６ｄは取外して解体される。それ以外の機構は図１〜図６に示すものと共通である。
【００４０】
該構成によれば、表示シート１の下部側を係止突起１７側に係止した状態で支持杆７を上方移動させることによれば、上述の構成より上下方向に短い表示シート１の設置も容易になるとともに、表示シート１の設置・撤収作業をより簡易にすることができる。
【符号の説明】
【００４１】
１  表示シート
２  枠体
３  ケース
４  取付ベース
６  支柱
６ａ  下部支柱
６ｂ  上部支柱
６ｃ  中間支柱
７  支持杆
１４  ストッパー
２３  蓋
【図１】
2014214438.tif 000003
【図２】
2014214438.tif 000004
【図３】
2014214438.tif 000005
【図４】
2014214438.tif 000006
【図５】
2014214438.tif 000007
【図６】
2014214438.tif 000008
【図７】
2014214438.tif 000009
【図８】
2014214438.tif 000010
【図９】
2014214438.tif 000011
【図１０】
2014214438.tif 000012